(57)【要約】【課題】電話帳データの登録に要する操作負担を大幅に軽減する。【解決手段】登録確認部１７が、電話網ＮＷから通知された着信の発側電話番号が電話帳ＤＢ１６に登録されているか否かを確認し、表示処理部１８が、発側電話番号が電話帳ＤＢ１６に登録されていない場合、着信に応答した電話端末２０と連携する連携ＰＣ３０に対して、発側電話番号に関する電話帳データを登録するための電話帳登録画面の表示指示を通知し、登録処理部１９が、表示指示に応じて連携ＰＣ３０で表示された電話帳登録画面に対して、利用者が操作入力した新たな電話帳データを、連携ＰＣ３０から取得して電話帳ＤＢ１６に登録する。【選択図】  図１
2018207434.tif 000002
【特許請求の範囲】
【請求項１】
複数の電話端末と、これら電話端末を電話網に交換接続する電話制御装置とを備える電話システムで用いられる前記電話制御装置であって、
相手先電話番号と相手先名とを含む電話帳データが相手先ごとに登録されている電話帳ＤＢと、
前記電話網から通知された着信の発側電話番号が前記電話帳ＤＢに登録されているか否かを確認する登録確認部と、
前記発側電話番号が前記電話帳ＤＢに登録されていない場合、前記着信に応答した電話端末と連携する連携ＰＣに対して、前記発側電話番号に関する電話帳データを登録するための電話帳登録画面の表示指示を通知する表示処理部と、
前記表示指示に応じて前記連携ＰＣで表示された前記電話帳登録画面に対して、利用者が操作入力した新たな電話帳データを、前記連携ＰＣから取得して前記電話帳ＤＢに登録する登録処理部と
を備えることを特徴とする電話制御装置。
【請求項２】
複数の電話端末と、これら電話端末を電話網に交換接続する電話制御装置とを備える電話システムで用いられる前記電話端末であって、
相手先電話番号と相手先名とを含む電話帳データが相手先ごとに登録されている電話帳ＤＢと、
前記電話網からの自端末に対する着信に応じて、前記着信の発側電話番号が前記電話帳ＤＢに登録されているか否かを確認する登録確認部と、
前記発側電話番号が前記電話帳ＤＢに登録されていない場合、前記着信への応答後、自端末と連携する連携ＰＣに対して、前記発側電話番号に関する電話帳登録画面の表示指示を通知する表示処理部と、
前記表示指示に応じて前記連携ＰＣで表示された前記電話帳登録画面に対して、利用者が操作入力した電話帳データを、前記連携ＰＣから取得して前記電話帳ＤＢに登録する登録処理部と
を備えることを特徴とする電話端末。
【請求項３】
複数の電話端末と、これら電話端末を電話網に交換接続する電話制御装置とを備える電話システムで、前記電話端末と連携して用いられる連携ＰＣであって、
相手先電話番号と相手先名とを含む電話帳データが相手先ごとに登録されている電話帳ＤＢと、
自己と対応する前記電話端末が前記電話網からの着信へ応答した後、前記着信の発側電話番号が前記電話帳ＤＢに登録されているか否かを確認する登録確認部と、
前記発側電話番号が前記電話帳ＤＢに登録されていない場合、前記発側電話番号に関する電話帳登録画面を表示する表示処理部と、
表示された前記電話帳登録画面に対して利用者が操作入力した電話帳データを、前記電話帳ＤＢに登録する登録処理部と
を備えることを特徴とする連携ＰＣ。
【請求項４】
複数の電話端末を電話制御装置により電話網に交換接続する電話システムと接続されて、前記電話システムで用いる電話帳データを管理する電話帳管理装置であって、
相手先電話番号と相手先名とを含む電話帳データが相手先ごとに登録されている電話帳ＤＢと、
前記電話網からの着信に応じて前記電話システムから通知された前記着信の発側電話番号が前記電話帳ＤＢに登録されているか否かを確認する登録確認部と、
前記発側電話番号が前記電話帳ＤＢに登録されていない場合、前記着信に応答した電話端末と連携する連携ＰＣに対して、前記発側電話番号に関する電話帳データを登録するための電話帳登録画面の表示指示を通知する表示処理部と、
前記表示指示に応じて前記連携ＰＣで表示された前記電話帳登録画面に対して、利用者が操作入力した新たな電話帳データを、前記連携ＰＣから取得して前記電話帳ＤＢに登録する登録処理部と
を備えることを特徴とする電話帳管理装置。
【請求項５】
複数の電話端末を電話制御装置により電話網に交換接続する電話システムであって、
相手先電話番号と相手先名とを含む電話帳データが相手先ごとに登録されている電話帳ＤＢと、
前記電話網から通知された着信の発側電話番号が前記電話帳ＤＢに登録されているか否かを確認する登録確認部と、
前記発側電話番号が前記電話帳ＤＢに登録されていない場合、前記着信に応答した電話端末と連携する連携ＰＣに対して、前記発側電話番号に関する電話帳データを登録するための電話帳登録画面の表示指示を通知する表示処理部と、
前記表示指示に応じて前記連携ＰＣで表示された前記電話帳登録画面に対して、利用者が操作入力した新たな電話帳データを、前記連携ＰＣから取得して前記電話帳ＤＢに登録する登録処理部と
を備えることを特徴とする電話システム。
【請求項６】
複数の電話端末を電話制御装置により電話網に交換接続する電話システムで用いられる電話帳登録方法であって、
相手先電話番号と相手先名とを含む電話帳データが相手先ごとに登録されている電話帳ＤＢと、
登録確認部が、前記電話網から通知された着信の発側電話番号が前記電話帳ＤＢに登録されているか否かを確認する登録確認ステップと、
表示処理部が、前記発側電話番号が前記電話帳ＤＢに登録されていない場合、前記着信に応答した電話端末と連携する連携ＰＣに対して、前記発側電話番号に関する電話帳データを登録するための電話帳登録画面の表示指示を通知する表示処理ステップと、
登録処理部が、前記表示指示に応じて前記連携ＰＣで表示された前記電話帳登録画面に対して、利用者が操作入力した新たな電話帳データを、前記連携ＰＣから取得して前記電話帳ＤＢに登録する登録処理ステップと
を備えることを特徴とする電話帳登録方法。
【発明の詳細な説明】
【技術分野】
【０００１】
本発明は、電話システムにおいて、電話帳ＤＢに電話帳データを登録するための電話帳登録技術に関する。
【背景技術】
【０００２】
一般に、ビジネスホンシステムやＰＢＸシステムでは、使用頻度の高い相手先に関する相手先電話番号と相手先名とを含む電話帳データを、相手先ごとに電話帳ＤＢに予め登録しておき、発信時に電話帳ＤＢから検索した電話帳データに基づいて発信操作する、いわゆる電話帳発信機能が利用されている。これにより、発信時に、毎回、相手先電話番号をダイヤル入力する必要がなくなり、利用者の操作負担や間違い電話を大幅に削減することができる。
【０００３】
しかしながら、このような電話帳発信機能を利用するには、相手先の電話帳データを予め登録しておく必要がある。従来、このような電話帳ＤＢに対する電話帳データの登録技術として、着信時に網から通知された発側電話番号が、電話帳ＤＢで未登録である場合、着信応答した電話端末での通話終了時に、発側電話番号を電話帳ＤＢに登録するための電話帳登録画面を自動的に電話端末で画面表示して、電話帳データの登録を促す技術が提案されている（例えば、特許文献１など参照）。
【先行技術文献】
【特許文献】
【０００４】
【特許文献１】特開２００１−３２０４６９号公報
【発明の概要】
【発明が解決しようとする課題】
【０００５】
このような従来技術によれば、通話終了時に電話帳登録画面が自動的に表示されるとともに、電話帳登録画面において電話帳ＤＢへ登録する電話帳データの相手先電話番号として発側電話番号が初期入力されているため、利用者の操作負担を削減することができる。しかしながら、電話帳登録では、使い勝手を向上させるため、発側電話番号のほか、登録先電話帳の選択、メモリ番号、相手の名前やフリガナ、電話帳グループなど、多くの登録項目が設けられており、一般的な電話端末では、これら登録項目にデータを入力する操作が非常に複雑となる。
【０００６】
例えば、相手名称は、電話帳ＤＢへの登録後に利用者が識別しやすくするため、漢字や仮名などの日本語文字を用いて入力される。しかし、電話端末には、テンキーやダイヤルキーなど数字入力用のボタンしか設けられていない。このため、仮名や漢字などの日本語文字を入力するには、例えば数字→仮名→漢字という順に文字変換する必要があり、極めて煩わしく利用者の操作負担が大きいという問題点があった。
【０００７】
本発明はこのような課題を解決するためのものであり、電話帳データの登録に要する操作負担を大幅に軽減できる電話帳登録技術を提供することを目的としている。
【課題を解決するための手段】
【０００８】
このような目的を達成するために、本発明にかかる電話制御装置は、複数の電話端末と、これら電話端末を電話網に交換接続する電話制御装置とを備える電話システムで用いられる前記電話制御装置であって、相手先電話番号と相手先名とを含む電話帳データが相手先ごとに登録されている電話帳ＤＢと、前記電話網から通知された着信の発側電話番号が前記電話帳ＤＢに登録されているか否かを確認する登録確認部と、前記発側電話番号が前記電話帳ＤＢに登録されていない場合、前記着信に応答した電話端末と連携する連携ＰＣに対して、前記発側電話番号に関する電話帳データを登録するための電話帳登録画面の表示指示を通知する表示処理部と、前記表示指示に応じて前記連携ＰＣで表示された前記電話帳登録画面に対して、利用者が操作入力した新たな電話帳データを、前記連携ＰＣから取得して前記電話帳ＤＢに登録する登録処理部とを備えている。
【０００９】
また、本発明にかかる電話端末は、複数の電話端末と、これら電話端末を電話網に交換接続する電話制御装置とを備える電話システムで用いられる前記電話端末であって、相手先電話番号と相手先名とを含む電話帳データが相手先ごとに登録されている電話帳ＤＢと、前記電話網からの自端末に対する着信に応じて、前記着信の発側電話番号が前記電話帳ＤＢに登録されているか否かを確認する登録確認部と、前記発側電話番号が前記電話帳ＤＢに登録されていない場合、前記着信への応答後、自端末と連携する連携ＰＣに対して、前記発側電話番号に関する電話帳登録画面の表示指示を通知する表示処理部と、前記表示指示に応じて前記連携ＰＣで表示された前記電話帳登録画面に対して、利用者が操作入力した電話帳データを、前記連携ＰＣから取得して前記電話帳ＤＢに登録する登録処理部とを備えている。
【００１０】
また、本発明にかかる連携ＰＣは、複数の電話端末と、これら電話端末を電話網に交換接続する電話制御装置とを備える電話システムで、前記電話端末と連携して用いられる連携ＰＣであって、相手先電話番号と相手先名とを含む電話帳データが相手先ごとに登録されている電話帳ＤＢと、自己と対応する前記電話端末が前記電話網からの着信へ応答した後、前記着信の発側電話番号が前記電話帳ＤＢに登録されているか否かを確認する登録確認部と、前記発側電話番号が前記電話帳ＤＢに登録されていない場合、前記発側電話番号に関する電話帳登録画面を表示する表示処理部と、表示された前記電話帳登録画面に対して利用者が操作入力した電話帳データを、前記電話帳ＤＢに登録する登録処理部とを備えている。
【００１１】
また、本発明にかかる電話帳管理装置は、複数の電話端末を電話制御装置により電話網に交換接続する電話システムと接続されて、前記電話システムで用いる電話帳データを管理する電話帳管理装置であって、相手先電話番号と相手先名とを含む電話帳データが相手先ごとに登録されている電話帳ＤＢと、前記電話網からの着信に応じて前記電話システムから通知された前記着信の発側電話番号が前記電話帳ＤＢに登録されているか否かを確認する登録確認部と、前記発側電話番号が前記電話帳ＤＢに登録されていない場合、前記着信に応答した電話端末と連携する連携ＰＣに対して、前記発側電話番号に関する電話帳データを登録するための電話帳登録画面の表示指示を通知する表示処理部と、前記表示指示に応じて前記連携ＰＣで表示された前記電話帳登録画面に対して、利用者が操作入力した新たな電話帳データを、前記連携ＰＣから取得して前記電話帳ＤＢに登録する登録処理部とを備えている。
【００１２】
また、本発明にかかる電話システムは、複数の電話端末を電話制御装置により電話網に交換接続する電話システムであって、相手先電話番号と相手先名とを含む電話帳データが相手先ごとに登録されている電話帳ＤＢと、前記電話網から通知された着信の発側電話番号が前記電話帳ＤＢに登録されているか否かを確認する登録確認部と、前記発側電話番号が前記電話帳ＤＢに登録されていない場合、前記着信に応答した電話端末と連携する連携ＰＣに対して、前記発側電話番号に関する電話帳データを登録するための電話帳登録画面の表示指示を通知する表示処理部と、前記表示指示に応じて前記連携ＰＣで表示された前記電話帳登録画面に対して、利用者が操作入力した新たな電話帳データを、前記連携ＰＣから取得して前記電話帳ＤＢに登録する登録処理部とを備えている。
【００１３】
また、本発明にかかる電話帳登録方法は、複数の電話端末を電話制御装置により電話網に交換接続する電話システムで用いられる電話帳登録方法であって、相手先電話番号と相手先名とを含む電話帳データが相手先ごとに登録されている電話帳ＤＢと、登録確認部が、前記電話網から通知された着信の発側電話番号が前記電話帳ＤＢに登録されているか否かを確認する登録確認ステップと、表示処理部が、前記発側電話番号が前記電話帳ＤＢに登録されていない場合、前記着信に応答した電話端末と連携する連携ＰＣに対して、前記発側電話番号に関する電話帳データを登録するための電話帳登録画面の表示指示を通知する表示処理ステップと、登録処理部が、前記表示指示に応じて前記連携ＰＣで表示された前記電話帳登録画面に対して、利用者が操作入力した新たな電話帳データを、前記連携ＰＣから取得して前記電話帳ＤＢに登録する登録処理ステップとを備えている。
【発明の効果】
【００１４】
本発明によれば、着信に応答した電話端末と連携する連携ＰＣで、発側電話番号に関する電話帳データを登録するための電話帳登録画面が自動的に表示され、利用者は、連携ＰＣの電話帳登録画面で、新たな電話帳データに関する各項目にデータを操作入力することになる。この際、相手先名やフリガナなどの項目で仮名や漢字などの日本語文字を入力する場合、連携ＰＣのキーボードにより入力することができる。このため、電話端末のテンキーやダイヤルキーなど数字入力用のボタンで日本語文字を入力する場合と比較して、極めて容易に日本語文字を入力することができ、電話帳データの登録に要する操作負担を大幅に軽減することが可能となる。
【図面の簡単な説明】
【００１５】
【図１】第１の実施の形態にかかる電話システムの構成を示すブロック図である。
【図２】電話帳登録画面の構成例である。
【図３】連携データの構成例である。
【図４】第１の実施の形態にかかる電話帳登録動作を示すシーケンス図である。
【図５】第２の実施の形態にかかる電話システムの構成を示すブロック図である。
【図６】第２の実施の形態にかかる電話帳登録動作を示すシーケンス図である。
【図７】第３の実施の形態にかかる電話システムの構成を示すブロック図である。
【図８】第３の実施の形態にかかる電話帳登録動作を示すシーケンス図である。
【図９】第４の実施の形態にかかる電話システムの構成を示すブロック図である。
【図１０】第４の実施の形態にかかる電話帳登録動作を示すシーケンス図である。
【発明を実施するための形態】
【００１６】
次に、本発明の実施の形態について図面を参照して説明する。
［第１の実施の形態］
まず、図１を参照して、本発明の第１の実施の形態にかかる電話システム１について説明する。図１は、第１の実施の形態にかかる電話システムの構成を示すブロック図である。
【００１７】
この電話システム１は、全体として、ビジネスホンシステムやＰＢＸシステムなどの電話システムからなり、複数の電話端末２０と、通信回線Ｌ２を介してこれら電話端末２０を収容して電話網ＮＷに交換接続する電話制御装置１０と、電話端末２０に対応して設けられた連携ＰＣ３０とから構成されている。
電話制御装置１０は、ビジネスホンシステムやＰＢＸシステムにおける主装置やＰＢＸ装置に相当する。連携ＰＣ３０は、電話端末２０の利用者が操作する一般的なＰＣ（パソコン）であり、キーボードにより仮名や漢字などの日本語文字を入力する、日本語変換入力機能を有している。
【００１８】
図１に示すように、電話端末２０は、それぞれ個別の通信回線Ｌ２を介して電話制御装置１０にスター接続されており、連携ＰＣ３０は、例えば専用のＬＡＮ回線や無線ＬＡＮやＢｌｕｅｔｏｏｔｈ（登録商標）などの無線回線からなる通信回線Ｌ３を介して、対応する電話端末２０とそれぞれ個別に接続されている。
【００１９】
なお、電話制御装置１０に対する電話端末２０および連携ＰＣ３０の接続形態はこれに限定されるものではない。例えば、後述する図９に示されているように、電話端末２０および連携ＰＣ３０を共通の通信回線Ｌ２を介して電話制御装置１０にバス接続する接続形態であってもよい。また、電話端末２０と連携ＰＣ３０とを別個の通信回線Ｌ２，Ｌ３で電話制御装置１０に接続してもよい。この際、電話端末２０は通信回線Ｌ２によりスター接続し、連携ＰＣ３０は通信回線Ｌ３によりバス接続してもよく、電話端末２０と連携ＰＣ３０とを別個の通信回線Ｌ２，Ｌ３で電話制御装置１０にバス接続してもよい。
【００２０】
本発明は、一般的なＰＣには、キーボードにより仮名や漢字などの日本語文字を入力する機能が含まれていることに着目し、電話網ＮＷからの着信に関する発側電話番号を登録するための電話帳登録画面を、着信に応答した電話端末２０と連携する連携ＰＣ３０で自動的に画面表示するようにしたものである。
【００２１】
すなわち、本発明の電話システム１は、相手先電話番号と相手先名とを含む電話帳データが相手先ごとに登録されている電話帳ＤＢと、電話網ＮＷから通知された着信の発側電話番号が電話帳ＤＢに登録されているか否かを確認する登録確認部と、発側電話番号が電話帳ＤＢに登録されていない場合、着信に応答した電話端末２０と連携する連携ＰＣ３０に対して、発側電話番号に関する電話帳データを登録するための電話帳登録画面の表示指示を通知する表示処理部と、表示指示に応じて連携ＰＣ３０で表示された電話帳登録画面に対して、利用者が操作入力した新たな電話帳データを、連携ＰＣ３０から取得して電話帳ＤＢに登録する登録処理部とを備えることを特徴としている。
【００２２】
この際、電話システム１において、これら電話帳ＤＢ、登録確認部、表示処理部、登録処理部に関する機能部を配置する場合、これら機能部をどの装置に配置するかについては、いくつかの配置形態が考えられる。具体的には、電話システム１の基本構成である電話制御装置１０または電話端末２０に配置してもよく、連携ＰＣ３０に配置する配置形態や、電話システム１の拡張構成である電話帳管理装置に配置してもよい。
【００２３】
また、これら電話帳ＤＢ、登録確認部、表示処理部、登録処理部を、電話システム１を構成する、電話制御装置１０、電話端末２０、連携ＰＣ３０、電話帳管理装置のいずれかに分散配置してもよい。
本実施の形態では、前述した電話帳ＤＢ、登録確認部、表示処理部、および登録処理部が、電話制御装置１０に配置されている配置形態について説明する。
【００２４】
［電話制御装置］
図１に示すように、電話制御装置１０には、主な機能部として、網Ｉ／Ｆ部１１、回線Ｉ／Ｆ部１２、スイッチ部１３、記憶部１４、制御部１５、電話帳ＤＢ１６、登録確認部１７、表示処理部１８、および登録処理部１９が設けられている。これら機能部のうち、登録確認部１７、表示処理部１８、および登録処理部１９は、ＣＰＵとプログラムとが協働してなる演算処理部により実現されている。
【００２５】
網Ｉ／Ｆ部１１は、通信回線Ｌ１を介して電話網ＮＷと接続されて、電話網ＮＷと各種の呼制御メッセージや音声をやり取りする機能を有している。
回線Ｉ／Ｆ部１２は、通信回線Ｌ２を介して電話端末２０と接続されて、これら電話端末２０と各種の制御メッセージや音声をやり取りする機能を有している。
【００２６】
スイッチ部１３は、網Ｉ／Ｆ部１１と回線Ｉ／Ｆ部１２との間で通話パスを交換接続する機能を有している。
記憶部１４は、ハードディスクや半導体メモリなどの記憶装置からなり、電話制御装置１０の動作に用いる各種処理データや、ＣＰＵで実行するプログラムを記憶する機能を有している。
【００２７】
制御部１５は、電話網ＮＷからの呼制御メッセージおよび電話端末２０からの制御メッセージに基づいて、電話網ＮＷおよび電話端末２０に関する呼制御を行う機能と、これに応じてスイッチ部１３を制御することにより、電話端末２０と電話網ＮＷとの通話パスを交換接続する機能と、電話網ＮＷから通知された着信に含まれる発側電話番号を取得する機能とを有している。
【００２８】
電話帳ＤＢ１６は、ハードディスクや半導体メモリなどの記憶装置からなり、相手先ごとに、相手先電話番号、登録先電話帳、メモリ番号、相手先名、フリガナ、電話帳グループなどの項目に関するデータが、電話帳データとしてそれぞれ登録されているデータベースである。このうち、登録先電話帳は、電話帳データの登録先として、各電話端末２０で共用する電話帳か、個別に用いる電話帳かを選択するためのデータである。電話帳グループは、電話帳データの分類として、相手先との関係に応じて、例えば顧客、取引先、社内部署などのグループを選択するためのデータである。
【００２９】
登録確認部１７は、電話網ＮＷから通知された着信の発側電話番号を制御部１５から取得し、この発側電話番号が、電話帳ＤＢ１６に登録されているか否かを確認する機能を有している。なお、電話帳ＤＢ１６での登録確認タイミングについては、制御部１５により着信から発側電話番号が取得された時点から、表示処理部１８により表示指示を通知するまでの期間であれば、いずれのタイミングであってもよい。
【００３０】
表示処理部１８は、登録確認部１７での確認の結果、発側電話番号が電話帳ＤＢ１６に登録されていない場合、着信に応答した電話端末２０と連携する連携ＰＣ３０に対して、発側電話番号に関する電話帳データを登録するための電話帳登録画面の表示指示を通知する機能を有している。
【００３１】
図２は、電話帳登録画面の構成例である。ここでは、電話帳データを構成する各項目データを操作入力するための操作シンボルが複数配置されており、電話帳登録画面はＨＴＭＬなどのデータ形式で記述されている。なお、電話帳登録画面については、予め連携ＰＣ３０に登録しておいてもよく、表示処理部１８が記憶部１４に予め登録されている電話帳登録画面を取得し、表示指示とともに連携ＰＣ３０に通知してもよい。
【００３２】
また、表示処理部１８における表示指示の通知タイミングについては、登録確認部１７により発側電話番号が電話帳ＤＢ１６に登録されていないことが確認された時点から、通話終了時点まで、いずれのタイミングであってもよい。なお、電話端末２０が着信応答していない時点では、その着信の発側電話番号に関する電話帳登録が不要な場合も考えられるため、電話端末２０が着信応答して通話が開始された後に表示指示を通知することにより、無駄な表示指示を省くことができる。また、通話が終了する前に表示指示を通知することにより、発側電話番号が電話帳ＤＢ１６に未登録であることを通知できるとともに、利用者が通話中に電話帳データに関する項目データを操作入力でき、通話終了後の操作負担を削減することができる。
【００３３】
登録処理部１９は、表示指示に応じて連携ＰＣ３０で表示された電話帳登録画面に対して、利用者が操作入力した新たな電話帳データを、連携ＰＣ３０から取得して電話帳ＤＢ１６に登録する機能を有している。
【００３４】
電話端末２０と連携ＰＣ３０とが通信回線Ｌ３を介して個別に接続されている場合、表示指示は、電話制御装置１０の回線Ｉ／Ｆ部１２から通信回線Ｌ２を介して電話端末２０に通知され、さらに通信回線Ｌ３を介して連携ＰＣ３０に通知される。また、連携ＰＣ３０で操作入力された電話帳データを含む登録要求は、この逆ルートで連携ＰＣ３０から電話端末２０を介して電話制御装置１０へ通知される。
【００３５】
なお、連携ＰＣ３０が通信回線Ｌ３を介して電話制御装置１０にバス接続されている場合には、電話端末２０と連携ＰＣ３０との対応関係を示す連携データを予め記憶部１４に登録しておき、この連携データを参照して、回線Ｉ／Ｆ部１２から通信回線Ｌ３を介して連携ＰＣ３０に通知すればよい。また、連携ＰＣ３０で操作入力された電話帳データを含む登録要求は、この逆ルートで連携ＰＣ３０から通信回線Ｌ３を介して電話制御装置１０へ通知すればよい。
【００３６】
図３は、連携データの構成例である。ここでは、電話端末２０の内線番号ごとに、当該電話端末２０と対応する連携ＰＣ３０のアドレスが登録されている。連携ＰＣ３０のアドレスとしては、ＩＰアドレスやＭＡＣアドレスが用いられる。
【００３７】
［第１の実施の形態の動作］
次に、図４を参照して、本実施の形態にかかる電話システム１の動作について説明する。図４は、第１の実施の形態にかかる電話帳登録動作を示すシーケンス図である。
ここでは、電話網ＮＷからの着信に電話端末２０が応答して通話が開始された後、その着信の発側電話番号に関する登録動作を開始する場合を例として説明する。
【００３８】
電話網ＮＷから電話制御装置１０に着信が通知された場合（ステップ１００）、電話制御装置１０の制御部１５は、網Ｉ／Ｆ部１１を介して着信を受信し、回線Ｉ／Ｆ部１２から通信回線Ｌ２を介して、着信と対応する着信先である電話端末２０へ、電話網ＮＷからの着信を通知する（ステップ１０１）。
これに応じて、電話端末２０で着信表示が開始され、利用者による着信応答操作に応じて（ステップ１０２）、着信への応答が電話端末２０から通信回線Ｌ２を介して電話制御装置１０へ返送される（ステップ１０３）。
【００３９】
制御部１５は、回線Ｉ／Ｆ部１２を介して電話端末２０からの応答を受信し、網Ｉ／Ｆ部１１から電話網ＮＷへ応答を返送する（ステップ１０４）。これに応じて、制御部１５によりスイッチ部１３が制御されて、網Ｉ／Ｆ部１１と回線Ｉ／Ｆ部１２との通話パスが接続され、発側電話端末と電話端末２０との通話が開始される（ステップ１０５）。
【００４０】
この後、登録確認部１７は、制御部１５から着信の発側電話番号を取得して、電話帳ＤＢ１６を検索することにより、発側電話番号が電話帳ＤＢ１６に登録されているか否かを確認する（ステップ１１０）。
ここで、発側電話番号が電話帳ＤＢ１６に登録されている場合、表示処理部１８は、連携ＰＣ３０に対する、発側電話番号の電話帳登録画面に関する表示指示を送信しない。
【００４１】
一方、発側電話番号が電話帳ＤＢ１６に登録されていない場合、表示処理部１８は、発側電話番号の電話帳登録画面に関する表示指示を、着信に応答した電話端末２０と連携する連携ＰＣ３０に対して送信する（ステップ１１１）。これにより、表示指示は、回線Ｉ／Ｆ部１２から通信回線Ｌ２、電話端末２０、および通信回線Ｌ３を介して連携ＰＣ３０へ通知される。
【００４２】
連携ＰＣ３０は、電話制御装置１０からの表示指示に応じて、予め登録されている電話帳登録画面を画面表示し、表示指示で通知された発側電話番号を相手先電話番号として電話帳登録画面に初期設定する（ステップ１１２）。これにより、利用者は、電話帳登録画面に新たな電話帳データに関する各項目にデータを操作入力する。この際、相手先名やフリガナなどの項目で仮名や漢字などの日本語文字を入力する場合、利用者は、連携ＰＣ３０のキーボードにより入力することができる。このため、電話端末２０のテンキーやダイヤルキーなど数字入力用のボタンで日本語文字を入力する場合と比較して、極めて容易に日本語文字を入力することが可能となる。
【００４３】
続いて、連携ＰＣ３０は、電話帳登録画面から利用者が操作入力した新たな電話帳データを取得し（ステップ１１３）、新たな電話帳データを含む登録要求を電話制御装置１０へ返送する（ステップ１１４）。これにより、登録要求は、表示指示とは逆ルートで電話制御装置１０へ通知される。
【００４４】
登録処理部１９は、連携ＰＣ３０からの登録要求に応じて、この登録要求から新たな電話帳データを取得し、電話帳ＤＢ１６に登録する（ステップ１１５）。これにより、着信の発側電話番号に関する電話帳データが、連携ＰＣ３０での利用者操作により入力されて、電話帳ＤＢ１６に登録されることになる。
【００４５】
この後、電話端末２０で電話帳検索操作が行われて（ステップ１２０）、検索要求が電話制御装置１０に通知された場合（ステップ１２１）、制御部１５は、検索要求で指定された電話帳データを電話帳ＤＢ１６から検索し（ステップ１２２）、得られた電話帳データを検索応答により返信する（ステップ１２３）。
これに応じて、電話端末２０では、検索結果を示す電話帳データが画面表示され（ステップ１２４）、これら電話帳データのうちのいずれかを指定した電話帳発信操作に応じて（ステップ１２５）、電話帳発信要求が電話制御装置１０に通知される（ステップ１２６）。
【００４６】
制御部１５は、電話端末２０からの電話帳発信要求に応じて、この電話帳発信要求で指定された電話帳データの発側電話番号を発信先とする発信を、網Ｉ／Ｆ部１１から電話網ＮＷへ送信する（ステップ１２７）。これにより、電話制御装置１０から、電話端末２０で指定された電話帳データの相手先電話番号に対する発信が行われることになる。
【００４７】
［第１の実施の形態の効果］
このように、本実施の形態は、登録確認部１７が、電話網ＮＷから通知された着信の発側電話番号が電話帳ＤＢ１６に登録されているか否かを確認し、発側電話番号が電話帳ＤＢ１６に登録されていない場合、表示処理部１８が、着信に応答した電話端末２０と連携する連携ＰＣ３０に対して、発側電話番号に関する電話帳データを登録するための電話帳登録画面の表示指示を通知し、登録処理部１９が、表示指示に応じて連携ＰＣ３０で表示された電話帳登録画面に対して、利用者が操作入力した新たな電話帳データを、連携ＰＣ３０から取得して電話帳ＤＢ１６に登録するようにしたものである。
【００４８】
より具体的には、電話帳ＤＢ１６、登録確認部１７、表示処理部１８、および登録処理部１９を、電話制御装置１０に配置するようにしたものである。
【００４９】
これにより、着信に応答した電話端末２０と連携する連携ＰＣ３０で、発側電話番号に関する電話帳データを登録するための電話帳登録画面が自動的に表示され、利用者は、連携ＰＣ３０の電話帳登録画面で、新たな電話帳データに関する各項目にデータを操作入力することになる。この際、相手先名やフリガナなどの項目で仮名や漢字などの日本語文字を入力する場合、連携ＰＣ３０のキーボードにより入力することができる。このため、電話端末２０のテンキーやダイヤルキーなど数字入力用のボタンで日本語文字を入力する場合と比較して、極めて容易に日本語文字を入力することができ、電話帳データの登録に要する操作負担を大幅に軽減することが可能となる。
【００５０】
［第２の実施の形態］
次に、図５を参照して、本発明の第２の実施の形態にかかる電話システム１について説明する。図５は、第２の実施の形態にかかる電話システムの構成を示すブロック図である。
本実施の形態では、前述した電話帳ＤＢ、登録確認部、表示処理部、および登録処理部が、電話端末２０に配置されている配置形態について説明する。
【００５１】
［電話端末］
電話端末２０には、主な機能部として、端末Ｉ／Ｆ部２１、連携Ｉ／Ｆ部２２、画面表示部２３、記憶部２４、端末制御部２５、電話帳ＤＢ２６、登録確認部２７、表示処理部２８、および登録処理部２９が設けられている。これら機能部のうち、端末制御部２５、登録確認部２７、表示処理部２８、および登録処理部２９は、ＣＰＵとプログラムとが協働してなる演算処理部により実現されている。
【００５２】
端末Ｉ／Ｆ部２１は、通信回線Ｌ２を介して電話制御装置１０とデータ通信行う機能を有している。
連携Ｉ／Ｆ部２２は、通信回線Ｌ３を介して自端末と連携する連携ＰＣ３０とデータ通信を行う機能を有している。
画面表示部２３は、ＬＣＤなどの画面表示装置からなり、電話帳発信用の画面など各種の画面を表示する機能を有している。
【００５３】
記憶部２４は、半導体メモリからなり、電話端末２０の動作に用いる各種処理データや、ＣＰＵで実行するプログラムを記憶する機能を有している。記憶部２４では、主な処理データとして、自端末と連携する連携ＰＣ３０のアドレスが予め登録されている。
端末制御部２５は、電話端末２０全体の動作を制御する機能を有している。
【００５４】
電話帳ＤＢ２６は、半導体メモリなどの記憶装置からなり、相手先ごとに電話帳データが登録されているデータベースである。
登録確認部２７は、電話制御装置１０から通知された着信の発側電話番号が、電話帳ＤＢ２６に登録されているか否かを確認する機能を有している。
【００５５】
表示処理部２８は、登録確認部２７での確認の結果、発側電話番号が電話帳ＤＢ２６に登録されていない場合、着信に応答した電話端末２０と連携する連携ＰＣ３０に対して、発側電話番号に関する電話帳データを登録するための電話帳登録画面の表示指示を通知する機能を有している。電話帳登録画面については、連携ＰＣ３０に予め登録しておいてもよく、記憶部２４に予め登録しておいたものを表示指示とともに連携ＰＣ３０に通知してもよい。
【００５６】
登録処理部２９は、表示指示に応じて連携ＰＣ３０で表示された電話帳登録画面に対して、利用者が操作入力した新たな電話帳データを、連携ＰＣ３０から取得して電話帳ＤＢ２６に登録する機能を有している。
【００５７】
これら電話帳ＤＢ２６、登録確認部２７、表示処理部２８、および登録処理部２９は、第１の実施の形態にかかる電話帳ＤＢ１６、登録確認部１７、表示処理部１８、および登録処理部１９に相当する。したがって、本実施の形態では、電話制御装置１０には、電話帳ＤＢ１６、登録確認部１７、表示処理部１８、および登録処理部１９が設けられておらず、主な機能部として、網Ｉ／Ｆ部１１、回線Ｉ／Ｆ部１２、スイッチ部１３、記憶部１４、および制御部１５が設けられている。
【００５８】
また、本実施の形態では、電話端末２０が、それぞれ個別の通信回線Ｌ２を介して電話制御装置１０にスター接続されており、連携ＰＣ３０が、例えば専用のＬＡＮ回線や無線ＬＡＮやＢｌｕｅｔｏｏｔｈなどの無線回線からなる通信回線Ｌ３を介して、対応する電話端末２０とそれぞれ個別に接続されている接続形態を例として説明する。なお、これら接続形態については、第１の実施の形態で説明した各種の接続形態を適用することができる。
【００５９】
［第２の実施の形態の動作］
次に、図６を参照して、本実施の形態にかかる電話システム１の動作について説明する。図６は、第２の実施の形態にかかる電話帳登録動作を示すシーケンス図である。
ここでは、電話網ＮＷからの着信に電話端末２０が応答して通話が開始された後、その着信の発側電話番号に関する登録動作を開始する場合を例として説明する。
【００６０】
電話網ＮＷから電話制御装置１０に着信が通知された場合（ステップ１００）、電話制御装置１０の制御部１５は、網Ｉ／Ｆ部１１を介して着信を受信し、回線Ｉ／Ｆ部１２から通信回線Ｌ２を介して、着信と対応する着信先である電話端末２０へ、電話網ＮＷからの着信を通知する（ステップ１０１）。
これに応じて、電話端末２０で着信表示が開始され、利用者による着信応答操作に応じて（ステップ１０２）、着信への応答が電話端末２０から通信回線Ｌ２を介して電話制御装置１０へ返送される（ステップ１０３）。
【００６１】
制御部１５は、回線Ｉ／Ｆ部１２を介して電話端末２０からの応答を受信し、網Ｉ／Ｆ部１１から電話網ＮＷへ応答を返送する（ステップ１０４）。これに応じて、制御部１５によりスイッチ部１３が制御されて、網Ｉ／Ｆ部１１と回線Ｉ／Ｆ部１２との通話パスが接続され、発側電話端末と電話端末２０との通話が開始される（ステップ１０５）。
【００６２】
この後、着信応答した電話端末２０の登録確認部２７は、電話制御装置１０からの着信通知に含まれる発側電話番号を取得して、電話帳ＤＢ２６を検索することにより、発側電話番号が電話帳ＤＢ２６に登録されているか否かを確認する（ステップ２００）。
ここで、発側電話番号が電話帳ＤＢ２６に登録されている場合、表示処理部２８は、連携ＰＣ３０に対する、発側電話番号の電話帳登録画面に関する表示指示を送信しない。
【００６３】
一方、発側電話番号が電話帳ＤＢ２６に登録されていない場合、表示処理部２８は、発側電話番号の電話帳登録画面に関する表示指示を、自端末と連携する連携ＰＣ３０に対して送信する（ステップ２０１）。これにより、表示指示は、連携Ｉ／Ｆ部２２から通信回線Ｌ３を介して連携ＰＣ３０へ通知される。
【００６４】
連携ＰＣ３０は、電話端末２０からの表示指示に応じて、予め登録されている電話帳登録画面を画面表示し、表示指示で通知された発側電話番号を相手先電話番号として電話帳登録画面に初期設定する（ステップ２０２）。これにより、利用者は、電話帳登録画面に新たな電話帳データに関する各項目にデータを操作入力する。この際、相手先名やフリガナなどの項目で仮名や漢字などの日本語文字を入力する場合、利用者は、連携ＰＣ３０のキーボードにより入力することができる。このため、電話端末２０のテンキーやダイヤルキーなど数字入力用のボタンで日本語文字を入力する場合と比較して、極めて容易に日本語文字を入力することが可能となる。
【００６５】
続いて、連携ＰＣ３０は、電話帳登録画面から利用者が操作入力した新たな電話帳データを取得し（ステップ２０３）、新たな電話帳データを含む登録要求を電話端末２０へ返送する（ステップ２０４）。これにより、登録要求は、表示指示とは逆ルートで電話端末２０へ通知される。
【００６６】
登録処理部２９は、連携ＰＣ３０からの登録要求に応じて、この登録要求から新たな電話帳データを取得し、電話帳ＤＢ２６に登録する（ステップ２０５）。これにより、着信の発側電話番号に関する電話帳データが、連携ＰＣ３０での利用者操作により入力されて、電話帳ＤＢ２６に登録されることになる。
【００６７】
この後、電話端末２０で電話帳検索操作が行われた場合（ステップ２１０）、端末制御部２５は、電話帳検索操作で指定された電話帳データを電話帳ＤＢ２６から検索し（ステップ２１１）、得られた電話帳データを画面表示部２３で画面表示する（ステップ２１２）。この後、これら電話帳データのうちのいずれかを指定した電話帳発信操作に応じて（ステップ２１３）、端末制御部２５は、電話帳発信要求を電話制御装置１０に通知する（ステップ２１４）。
【００６８】
電話制御装置１０の制御部１５は、電話端末２０からの電話帳発信要求に応じて、この電話帳発信要求で指定された電話帳データの発側電話番号を発信先とする発信を、網Ｉ／Ｆ部１１から電話網ＮＷへ送信する（ステップ２１５）。これにより、電話制御装置１０から、電話端末２０で指定された電話帳データの相手先電話番号に対する発信が行われることになる。
【００６９】
［第２の実施の形態の効果］
このように、本実施の形態は、電話帳ＤＢ２６、登録確認部２７、表示処理部２８、および登録処理部２９を、電話端末２０に配置し、登録確認部２７が、電話網ＮＷからの自端末に対する着信に応じて、着信の発側電話番号が電話帳ＤＢ２６に登録されているか否かを確認し、発側電話番号が電話帳ＤＢ２６に登録されていない場合、表示処理部２８が、着信への応答後、自端末と連携する連携ＰＣ３０に対して、発側電話番号に関する電話帳登録画面の表示指示を通知し、登録処理部２９が、表示指示に応じて連携ＰＣ３０で表示された電話帳登録画面に対して、利用者が操作入力した電話帳データを、連携ＰＣ３０から取得して電話帳ＤＢ２６に登録するようにしたものである。
【００７０】
これにより、着信に応答した電話端末２０と連携する連携ＰＣ３０で、発側電話番号に関する電話帳データを登録するための電話帳登録画面が自動的に表示され、利用者は、連携ＰＣ３０の電話帳登録画面で、新たな電話帳データに関する各項目にデータを操作入力することになる。この際、相手先名やフリガナなどの項目で仮名や漢字などの日本語文字を入力する場合、連携ＰＣ３０のキーボードにより入力することができる。このため、電話端末２０のテンキーやダイヤルキーなど数字入力用のボタンで日本語文字を入力する場合と比較して、極めて容易に日本語文字を入力することができ、電話帳データの登録に要する操作負担を大幅に軽減することが可能となる。
【００７１】
また、本実施の形態は、電話帳ＤＢ２６、登録確認部２７、表示処理部２８、および登録処理部２９が、電話端末２０に配置されているため、電話端末２０ごとに個別の電話帳ＤＢ２６を設けられている構成にも、本発明を適用することができる。
【００７２】
［第３の実施の形態］
次に、図７を参照して、本発明の第３の実施の形態にかかる電話システム１について説明する。図７は、第３の実施の形態にかかる電話システムの構成を示すブロック図である。
本実施の形態では、前述した電話帳ＤＢ、登録確認部、表示処理部、および登録処理部が、連携ＰＣ３０に配置されている配置形態について説明する。
【００７３】
［連携ＰＣ］
連携ＰＣ３０には、主に機能部として、端末Ｉ／Ｆ部３１、画面表示部３３、記憶部３４、端末制御部３５、電話帳ＤＢ３６、登録確認部３７、表示処理部３８、および登録処理部３９が設けられている。これら機能部のうち、端末制御部３５、登録確認部３７、表示処理部３８、および登録処理部３９は、ＣＰＵとプログラムとが協働してなる演算処理部により実現されている。
【００７４】
端末Ｉ／Ｆ部３１は、通信回線Ｌ３を介して電話端末２０とデータ通信行う機能を有している。
画面表示部３３は、ＬＣＤなどの画面表示装置からなり、電話帳登録画面など各種の画面を表示する機能を有している。
【００７５】
記憶部３４は、半導体メモリからなり、連携ＰＣ３０の動作に用いる各種処理データや、ＣＰＵで実行するプログラムを記憶する機能を有している。記憶部３４には、主な処理データとして、電話帳データを登録するための電話帳登録画面が予め登録されている。
端末制御部３５は、連携ＰＣ３０全体の動作を制御する機能と、各種アプリケーションソフトを実行する機能と、キーボード操作を漢字や仮名などの日本語文字に変換する機能とを有している。
【００７６】
電話帳ＤＢ３６は、半導体メモリなどの記憶装置からなり、相手先ごとに電話帳データが登録されているデータベースである。
登録確認部３７は、電話制御装置１０または電話端末２０から通知された、着信の発側電話番号が、電話帳ＤＢ３６に登録されているか否かを確認する機能を有している。
【００７７】
表示処理部３８は、登録確認部３７での確認の結果、発側電話番号が電話帳ＤＢ３６に登録されていない場合、記憶部３４に予め登録しておいた、発側電話番号に関する電話帳データを登録するための電話帳登録画面を、画面表示部３３で画面表示する機能を有している。
登録処理部３９は、画面表示部３３に画面表示された電話帳登録画面に対して、利用者が操作入力した新たな電話帳データを取得して、電話帳ＤＢ３６に登録する機能を有している。
【００７８】
これら電話帳ＤＢ３６、登録確認部３７、表示処理部３８、および登録処理部３９は、第１の実施の形態にかかる電話帳ＤＢ１６、登録確認部１７、表示処理部１８、および登録処理部１９に相当する。したがって、本実施の形態では、電話制御装置１０には、電話帳ＤＢ１６、登録確認部１７、表示処理部１８、および登録処理部１９が設けられておらず、主な機能部として、網Ｉ／Ｆ部１１、回線Ｉ／Ｆ部１２、スイッチ部１３、記憶部１４、および制御部１５が設けられている。
【００７９】
また、本実施の形態では、電話端末２０が、それぞれ個別の通信回線Ｌ２を介して電話制御装置１０にスター接続されており、連携ＰＣ３０が、例えば専用のＬＡＮ回線や無線ＬＡＮやＢｌｕｅｔｏｏｔｈなどの無線回線からなる通信回線Ｌ３を介して、対応する電話端末２０とそれぞれ個別に接続されている接続形態を例として説明する。なお、これら接続形態については、第１の実施の形態で説明した各種の接続形態を適用することができる。
【００８０】
［第３の実施の形態の動作］
次に、図８を参照して、本実施の形態にかかる電話システム１の動作について説明する。図８は、第３の実施の形態にかかる電話帳登録動作を示すシーケンス図である。
ここでは、電話網ＮＷからの着信に電話端末２０が応答して通話が開始された後、その着信の発側電話番号に関する登録動作を開始する場合を例として説明する。
【００８１】
電話網ＮＷから電話制御装置１０に着信が通知された場合（ステップ１００）、電話制御装置１０の制御部１５は、網Ｉ／Ｆ部１１を介して着信を受信し、回線Ｉ／Ｆ部１２から通信回線Ｌ２を介して、着信と対応する着信先である電話端末２０へ、電話網ＮＷからの着信を通知する（ステップ１０１）。
これに応じて、電話端末２０で着信表示が開始され、利用者による着信応答操作に応じて（ステップ１０２）、着信への応答が電話端末２０から通信回線Ｌ２を介して電話制御装置１０へ返送される（ステップ１０３）。
【００８２】
制御部１５は、回線Ｉ／Ｆ部１２を介して電話端末２０からの応答を受信し、網Ｉ／Ｆ部１１から電話網ＮＷへ応答を返送する（ステップ１０４）。これに応じて、制御部１５によりスイッチ部１３が制御されて、網Ｉ／Ｆ部１１と回線Ｉ／Ｆ部１２との通話パスが接続され、発側電話端末と電話端末２０との通話が開始される（ステップ１０５）。
【００８３】
この後、電話制御装置１０または着信応答した電話端末２０からの登録指示に応じて（ステップ３００）、着信応答した電話端末２０と連携する連携ＰＣ３０の登録確認部３７は、登録指示に含まれる着信の発側電話番号を取得して、電話帳ＤＢ３６を検索することにより、発側電話番号が電話帳ＤＢ３６に登録されているか否かを確認する（ステップ３０１）。
ここで、発側電話番号が電話帳ＤＢ３６に登録されている場合、表示処理部３８は、発側電話番号の電話帳登録画面に関する表示指示を送信しない。
【００８４】
一方、発側電話番号が電話帳ＤＢ３６に登録されていない場合、表示処理部３８は、発側電話番号の電話帳登録画面を画面表示部３３に画面表示し、表示指示で通知された発側電話番号を相手先電話番号として電話帳登録画面に初期設定する（ステップ３０２）。これにより、利用者は、電話帳登録画面に新たな電話帳データに関する各項目にデータを操作入力する。この際、相手先名やフリガナなどの項目で仮名や漢字などの日本語文字を入力する場合、利用者は、連携ＰＣ３０のキーボードにより入力することができる。このため、電話端末２０のテンキーやダイヤルキーなど数字入力用のボタンで日本語文字を入力する場合と比較して、極めて容易に日本語文字を入力することが可能となる。
【００８５】
続いて、登録処理部３９は、電話帳登録画面から利用者が操作入力した新たな電話帳データを取得し（ステップ３０３）、新たな電話帳データを電話帳ＤＢ３６に登録する（ステップ３０４）。これにより、着信の発側電話番号に関する電話帳データが、連携ＰＣ３０での利用者操作により入力されて、電話帳ＤＢ３６に登録されることになる。
【００８６】
この後、電話端末２０で電話帳検索操作が行われて（ステップ３１０）、検索要求が連携ＰＣ３０に通知された場合（ステップ３１１）、端末制御部３５は、検索要求で指定された電話帳データを電話帳ＤＢ３６から検索し（ステップ３１２）、得られた電話帳データを検索応答により電話端末２０に返送する（ステップ３１３）。
【００８７】
これに応じて、電話端末２０では、返送された電話帳データがＬＣＤなどの表示画面で表示される（ステップ３１４）。この後、これら電話帳データのうちのいずれかを指定した電話帳発信操作に応じて（ステップ３１５）、電話端末２０は、電話帳発信要求を電話制御装置１０に通知する（ステップ３１６）。
【００８８】
電話制御装置１０の制御部１５は、電話端末２０からの電話帳発信要求に応じて、この電話帳発信要求で指定された電話帳データの発側電話番号を発信先とする発信を、網Ｉ／Ｆ部１１から電話網ＮＷへ送信する（ステップ３１７）。これにより、電話制御装置１０から、電話端末２０で指定された電話帳データの相手先電話番号に対する発信が行われることになる。
【００８９】
［第３の実施の形態の効果］
このように、本実施の形態は、電話帳ＤＢ３６、登録確認部３７、表示処理部３８、および登録処理部３９を、連携ＰＣ３０に配置し、登録確認部３７が、自己と対応する電話端末２０が電話網ＮＷからの着信へ応答した後、着信の発側電話番号が電話帳ＤＢ３６に登録されているか否かを確認し、発側電話番号が電話帳ＤＢ３６に登録されていない場合、表示処理部３８が、発側電話番号に関する電話帳登録画面を表示し、登録処理部３９が、表示された電話帳登録画面に対して利用者が操作入力した電話帳データを、電話帳ＤＢ３６に登録するようにしたものである。
【００９０】
これにより、着信に応答した電話端末２０と連携する連携ＰＣ３０で、発側電話番号に関する電話帳データを登録するための電話帳登録画面が自動的に表示され、利用者は、連携ＰＣ３０の電話帳登録画面で、新たな電話帳データに関する各項目にデータを操作入力することになる。この際、相手先名やフリガナなどの項目で仮名や漢字などの日本語文字を入力する場合、連携ＰＣ３０のキーボードにより入力することができる。このため、電話端末２０のテンキーやダイヤルキーなど数字入力用のボタンで日本語文字を入力する場合と比較して、極めて容易に日本語文字を入力することができ、電話帳データの登録に要する操作負担を大幅に軽減することが可能となる。
【００９１】
また、本実施の形態は、電話帳ＤＢ３６、登録確認部３７、表示処理部３８、および登録処理部３９が、連携ＰＣ３０に配置されているため、電話端末２０ごとに個別の電話帳ＤＢ３６が連携ＰＣ３０に設けられている構成にも、本発明を適用することができる。
【００９２】
［第４の実施の形態］
次に、図９を参照して、本発明の第４の実施の形態にかかる電話システム１について説明する。図９は、第４の実施の形態にかかる電話システムの構成を示すブロック図である。
本実施の形態では、前述した電話帳ＤＢ、登録確認部、表示処理部、および登録処理部が、電話帳管理装置４０に配置されている配置形態について説明する。
【００９３】
［電話帳管理装置］
電話帳管理装置４０は、全体としてサーバ装置などの情報処理装置からなり、電話システム１と接続されて、電話システム１で用いる電話帳データを管理する機能を有している。
本実施の形態では、電話端末２０および連携ＰＣ３０が、例えば専用のＬＡＮ回線や無線ＬＡＮなどの無線回線からなる通信回線Ｌ２を介して、電話制御装置１０および電話帳管理装置４０にバス接続されている接続形態を例として説明する。
【００９４】
電話帳管理装置４０には、通信Ｉ／Ｆ部４１、記憶部４４、管理制御部４５、電話帳ＤＢ４６、登録確認部４７、表示処理部４８、および登録処理部４９が設けられている。これら機能部のうち、管理制御部４５、登録確認部４７、表示処理部４８、および登録処理部４９は、ＣＰＵとプログラムとが協働してなる演算処理部により実現されている。
【００９５】
通信Ｉ／Ｆ部４１は、通信回線Ｌ２を介して電話端末２０および連携ＰＣ３０とデータ通信行う機能を有している。
記憶部４４は、半導体メモリからなり、電話帳管理装置４０の動作に用いる各種処理データや、ＣＰＵで実行するプログラムを記憶する機能を有している。記憶部４４には、主な処理データとして、電話端末２０と連携ＰＣ３０との対応関係を示す連携データが予め登録されている。
【００９６】
管理制御部４５は、電話端末２０からの検索要求に応じて、指定された電話帳データを電話帳ＤＢ４６を検索し、得られた電話帳データを検索応答により電話端末２０に返送する機能を有している。
電話帳ＤＢ４６は、半導体メモリなどの記憶装置からなり、相手先ごとに電話帳データが登録されているデータベースである。
登録確認部４７は、電話網ＮＷからの着信に応じて電話制御装置１０または電話端末２０から通知された、着信の発側電話番号が、電話帳ＤＢ４６に登録されているか否かを確認する機能を有している。
【００９７】
表示処理部４８は、登録確認部４７での確認の結果、発側電話番号が電話帳ＤＢ４６に登録されていない場合、着信に応答した電話端末２０と連携する連携ＰＣ３０に対して、発側電話番号に関する電話帳データを登録するための電話帳登録画面の表示指示を通知する機能を有している。電話帳登録画面については、連携ＰＣ３０に予め登録しておいてもよく、記憶部４４に予め登録しておいたものを表示指示とともに連携ＰＣ３０に通知してもよい。
【００９８】
登録処理部４９は、表示指示に応じて連携ＰＣ３０で表示された電話帳登録画面に対して、利用者が操作入力した新たな電話帳データを、連携ＰＣ３０から取得して電話帳ＤＢ４６に登録する機能を有している。
【００９９】
これら電話帳ＤＢ４６、登録確認部４７、表示処理部４８、および登録処理部４９は、第１の実施の形態にかかる電話帳ＤＢ１６、登録確認部１７、表示処理部１８、および登録処理部１９に相当する。したがって、本実施の形態では、電話制御装置１０には、電話帳ＤＢ１６、登録確認部１７、表示処理部１８、および登録処理部１９が設けられておらず、主な機能部として、網Ｉ／Ｆ部１１、回線Ｉ／Ｆ部１２、スイッチ部１３、記憶部１４、および制御部１５が設けられている。
【０１００】
［第４の実施の形態の動作］
次に、図１０を参照して、本実施の形態にかかる電話システム１の動作について説明する。図１０は、第４の実施の形態にかかる電話帳登録動作を示すシーケンス図である。
ここでは、電話網ＮＷからの着信に電話端末２０が応答して通話が開始された後、その着信の発側電話番号に関する登録動作を開始する場合を例として説明する。
【０１０１】
電話網ＮＷから電話制御装置１０に着信が通知された場合（ステップ１００）、電話制御装置１０の制御部１５は、網Ｉ／Ｆ部１１を介して着信を受信し、回線Ｉ／Ｆ部１２から通信回線Ｌ２を介して、着信と対応する着信先である電話端末２０へ、電話網ＮＷからの着信を通知する（ステップ１０１）。
これに応じて、電話端末２０で着信表示が開始され、利用者による着信応答操作に応じて（ステップ１０２）、着信への応答が電話端末２０から通信回線Ｌ２を介して電話制御装置１０へ返送される（ステップ１０３）。
【０１０２】
制御部１５は、回線Ｉ／Ｆ部１２を介して電話端末２０からの応答を受信し、網Ｉ／Ｆ部１１から電話網ＮＷへ応答を返送する（ステップ１０４）。これに応じて、制御部１５によりスイッチ部１３が制御されて、網Ｉ／Ｆ部１１と回線Ｉ／Ｆ部１２との通話パスが接続され、発側電話端末と電話端末２０との通話が開始される（ステップ１０５）。
【０１０３】
この後、電話制御装置１０または着信応答した電話端末２０からの登録指示に応じて（ステップ４００）、電話帳管理装置４０の登録確認部４７は、登録指示に含まれる着信の発側電話番号を取得して、電話帳ＤＢ４６を検索することにより、発側電話番号が電話帳ＤＢ４６に登録されているか否かを確認する（ステップ４０１）。
ここで、発側電話番号が電話帳ＤＢ４６に登録されている場合、表示処理部４８は、発側電話番号の電話帳登録画面に関する表示指示を送信しない。
【０１０４】
一方、発側電話番号が電話帳ＤＢ４６に登録されていない場合、表示処理部４８は、発側電話番号の電話帳登録画面に関する表示指示を、着信応答した電話端末２０と連携する連携ＰＣ３０に対して送信する（ステップ４０２）。これにより、表示指示は、通信Ｉ／Ｆ部４１から通信回線Ｌ２を介して連携ＰＣ３０へ通知される。
【０１０５】
連携ＰＣ３０は、電話帳管理装置４０からの表示指示に応じて、予め登録されている電話帳登録画面を画面表示し、表示指示で通知された発側電話番号を相手先電話番号として電話帳登録画面に初期設定する（ステップ４０３）。これにより、利用者は、電話帳登録画面に新たな電話帳データに関する各項目にデータを操作入力する。この際、相手先名やフリガナなどの項目で仮名や漢字などの日本語文字を入力する場合、利用者は、連携ＰＣ３０のキーボードにより入力することができる。このため、電話端末２０のテンキーやダイヤルキーなど数字入力用のボタンで日本語文字を入力する場合と比較して、極めて容易に日本語文字を入力することが可能となる。
【０１０６】
続いて、連携ＰＣ３０は、電話帳登録画面から利用者が操作入力した新たな電話帳データを取得し（ステップ４０４）、新たな電話帳データを含む登録要求を電話帳管理装置４０へ返送する（ステップ４０５）。これにより、登録要求は、表示指示とは逆ルートで電話帳管理装置４０へ通知される。
【０１０７】
登録処理部４９は、連携ＰＣ３０からの登録要求に応じて、この登録要求から新たな電話帳データを取得し、電話帳ＤＢ４６に登録する（ステップ４０６）。これにより、着信の発側電話番号に関する電話帳データが、連携ＰＣ３０での利用者操作により入力されて、電話帳ＤＢ４６に登録されることになる。
【０１０８】
この後、電話端末２０で電話帳検索操作が行われて（ステップ４１０）、検索要求が電話帳管理装置４０に通知された場合（ステップ４１１）、管理制御部４５は、検索要求で指定された電話帳データを電話帳ＤＢ４６から検索し（ステップ４１２）、得られた電話帳データを検索応答により電話端末２０に返送する（ステップ４１３）。
【０１０９】
これに応じて、電話端末２０では、返送された電話帳データがＬＣＤなどの表示画面で表示される（ステップ４１４）。この後、これら電話帳データのうちのいずれかを指定した電話帳発信操作に応じて（ステップ４１５）、電話端末２０は、電話帳発信要求を電話制御装置１０に通知する（ステップ４１６）。
【０１１０】
電話制御装置１０の制御部１５は、電話端末２０からの電話帳発信要求に応じて、この電話帳発信要求で指定された電話帳データの発側電話番号を発信先とする発信を、網Ｉ／Ｆ部１１から電話網ＮＷへ送信する（ステップ４１７）。これにより、電話制御装置１０から、電話端末２０で指定された電話帳データの相手先電話番号に対する発信が行われることになる。
【０１１１】
［第４の実施の形態の効果］
このように、本実施の形態は、電話帳ＤＢ４６、登録確認部４７、表示処理部４８、および登録処理部４９を、電話帳管理装置４０に配置し、登録確認部４７が、電話網ＮＷからの着信に応じて電話システム１から通知された着信の発側電話番号が電話帳ＤＢ４６に登録されているか否かを確認し、発側電話番号が電話帳ＤＢ４６に登録されていない場合、表示処理部４８が、着信に応答した電話端末２０と連携する連携ＰＣ３０に対して、発側電話番号に関する電話帳データを登録するための電話帳登録画面の表示指示を通知し、登録処理部４９が、表示指示に応じて連携ＰＣ３０で表示された電話帳登録画面に対して、利用者が操作入力した新たな電話帳データを、連携ＰＣ３０から取得して電話帳ＤＢ４６に登録するようにしたものである。
【０１１２】
これにより、着信に応答した電話端末２０と連携する連携ＰＣ３０で、発側電話番号に関する電話帳データを登録するための電話帳登録画面が自動的に表示され、利用者は、連携ＰＣ３０の電話帳登録画面で、新たな電話帳データに関する各項目にデータを操作入力することになる。この際、相手先名やフリガナなどの項目で仮名や漢字などの日本語文字を入力する場合、連携ＰＣ３０のキーボードにより入力することができる。このため、電話端末２０のテンキーやダイヤルキーなど数字入力用のボタンで日本語文字を入力する場合と比較して、極めて容易に日本語文字を入力することができ、電話帳データの登録に要する操作負担を大幅に軽減することが可能となる。
【０１１３】
また、本実施の形態は、電話帳ＤＢ４６、登録確認部４７、表示処理部４８、および登録処理部４９が、電話帳管理装置４０に配置されているため、電話帳データの管理が電話制御装置１０とは独立した電話帳管理装置４０で行われる構成にも、本発明を適用することができる。
【０１１４】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【符号の説明】
【０１１５】
１…電話システム、１０…電話制御装置、１１…網Ｉ／Ｆ部、１２…回線Ｉ／Ｆ部、１３…スイッチ部、１４…記憶部、１５…制御部、１６…電話帳ＤＢ、１７…登録確認部、１８…表示処理部、１９…登録処理部、２０…電話端末、２１…端末Ｉ／Ｆ部、２２…連携Ｉ／Ｆ部、２３…画面表示部、２４…記憶部、２５…端末制御部、２６…電話帳ＤＢ、２７…登録確認部、２８…表示処理部、２９…登録処理部、３０…連携ＰＣ、３１…端末Ｉ／Ｆ部、３３…画面表示部、３４…記憶部、３５…端末制御部、３６…電話帳ＤＢ、３７…登録確認部、３８…表示処理部、３９…登録処理部、４０…電話帳管理装置、４１…通信Ｉ／Ｆ部、４４…記憶部、４５…管理制御部、４６…電話帳ＤＢ、４７…登録確認部、４８…表示処理部、４９…登録処理部、Ｌ１，Ｌ２，Ｌ３…通信回線、ＮＷ…電話網。
【図１】
2018207434.tif 000003
【図２】
2018207434.tif 000004
【図３】
2018207434.tif 000005
【図４】
2018207434.tif 000006
【図５】
2018207434.tif 000007
【図６】
2018207434.tif 000008
【図７】
2018207434.tif 000009
【図８】
2018207434.tif 000010
【図９】
2018207434.tif 000011
【図１０】
2018207434.tif 000012